(57)【要約】【課題】製造が容易、短い工期で製造可能、安価に製造可能、かつリフォームが容易な浴槽を提供する。【解決手段】合板２２ａの両面にＦＲＰ被覆２２ｂを施したＦＲＰ被覆合板２２からなる浴槽本体２３の側壁部２３ａの外面及び内面、並びに底部２３ｂの内面にそれぞれ板材２８、３８、４８を取り付けて浴槽２１を構成する。ＦＲＰ被覆合板２２は概ね木質なので加工が容易であり、湾曲形状の浴槽でも浴槽本体２３を容易に製作できる。また、内外面の板材２８、３８を取り付ける手段として、木材に取り付ける場合と概ね同様な簡単な取付手段を採用することができる。また、軽量化を実現できる。【選択図】図３
2008228756.tif 000002
【特許請求の範囲】
【請求項１】
合板の両面にＦＲＰ被覆を施したＦＲＰ被覆合板からなる浴槽本体の側壁部の外面及び内面、並びに底部の内面にそれぞれ板材を取り付けたことを特徴とする浴槽。
【請求項２】
前記側壁部の内外面の板材が木の板材であり、この木の板材は、周方向に伸びる取付構造により前記ＦＲＰ被覆合板に対して間隔をあけて取り付けられていることを特徴とする請求項１記載の浴槽。
【請求項３】
前記側壁部の内外面の板材が石の板材であり、少なくとも一方の石の板材は、周方向に伸びる取付構造により前記ＦＲＰ被覆合板に対して間隔をあけて取り付けられていることを特徴とする請求項１記載の浴槽。
【請求項４】
前記木の板材又は一方の石の板材をＦＲＰ被覆合板に取り付ける取付構造は、ＦＲＰ被覆合板に締着部材で取り付けられた周方向に伸びる鋼材を含むものであることを特徴とする請求項２又は３記載の浴槽。
【請求項５】
前記一方の石の板材は、前記周方向に伸びる鋼材に固定部材で固定される窯業系ボードと、この窯業系ボードにラス及びモルタルを介して貼り付けられる石板とからなることを特徴とする請求項４記載の浴槽。
【請求項６】
前記一方の石の板材と反対側の他方の石の板材は、ラス及びモルタルによりＦＲＰ被覆合板に貼り付けられていることを特徴とする請求項３記載の浴槽。
【請求項７】
前記側壁部の内外面の板材のうちの一方の板材が木の板材、他方の板材が石の板材であることを特徴とする請求項１記載の浴槽。
【発明の詳細な説明】
【技術分野】
【０００１】
この発明は、主として一般住宅用の浴槽として用いて好適な浴槽に関する。
【背景技術】
【０００２】
近年の一般住宅用の浴槽はプラスチック製の浴槽が主流である。プラスチック製の浴槽はコストが安い、腐食しないので耐久性がよい等の長所がある。しかし、檜材等による木製の浴槽も浴槽自体としては広く好まれている。
この種の従来の木製浴槽は、細長い木の板材を縦にして周方向に並べタガで締め付ける桶構造のものが一般的である。
【０００３】
上記桶構造の木製浴槽の製造には、いわゆる桶職人と呼ばれる熟練工の技術を必要とするので、どうしもコストが高くなる。また、木製であるから腐食し易く耐久性に欠けるという欠点がある。
【０００４】
また、桶構造の木製浴槽で一部の板材が腐食したとしても、一部の板材のみを張り替えることは困難であり、このため木製の浴槽のリフォームということは殆ど行われていない。したがって、木製の浴槽は設置した後は、部分的なリフォームはせずに全面的な作り替えをしなければならず、この点でもコストが高くつくという問題がある。
【０００５】
そのような欠点を改善する従来の浴槽として、図１０に示すように、ステンレス板からなる浴槽本体２の側壁部２ａの内外面及び底部２ｂの内面に木の板材３、４、５を取り付けた構造の浴槽１がある（特許文献１）。浴槽本体２にはアングルによる取付金具６、７、８が溶接固定され、この取付金具６、７、８に角材（間隔材）９、１０、１１が木ネジで固定され、角材９、１０、１１に各板材３、４、５が木ネジで固定されている。
【特許文献１】特開２００５−２４５６４８
【発明の開示】
【発明が解決しようとする課題】
【０００６】
従来の桶構造の木製浴槽は、上述の通り、熟練工の技術を必要しコストが高くなる、腐食し易く耐久性に欠けるという欠点があり、また、リフォームは極めて困難であるという問題がある。
【０００７】
これに対して、図１０に示したステンレス内蔵の浴槽１は、桶構造の木製浴槽と比較すると、それほど熟練した技術を必要とせずに容易に、かつ短い工期で製造することが可能で、安価に製造することが可能であり、かつ木部が腐食した場合には一部の張り替えも可能である。
【０００８】
しかし、ステンレス内蔵の浴槽１の場合、ステンレス製の浴槽本体２の加工が必ずしも簡単ではないという問題がある。特に、浴槽の輪郭が上面から見て例えば円形など湾曲部を持つ形状の場合に、ステンレスをそのような形状に加工するのは必ずしも簡単でないという問題があり、また、その他の点でも一層の改善が望まれる。
【０００９】
ところで、従来の一般的な石張り（タイル張り等）浴槽ではリフォームすることができない。石張りの浴槽でリフォーム可能にするために、図１０の浴槽１において、側壁部内外面及び底部内面の木の板材３、４、５に代えて、石の板材を用いることが考えられる。しかし、石の板材に代えた場合、上述した問題点に加えて、石の板材をステンレスの浴槽本体２に取り付けることが簡単でない。
【００１０】
本発明は上記事情に鑑みてなされたもので、従来のステンレス内蔵の浴槽よりも、さらに製造が容易で、かつさらに短い工期で製造することが可能で、さらに安価に製造することが可能であり、かつ一部の張り替えもさらに容易な浴槽を提供することを目的とする。
【課題を解決するための手段】
【００１１】
上記課題を解決する本発明の浴槽は、合板の両面にＦＲＰ被覆を施したＦＲＰ被覆合板からなる浴槽本体の側壁部の外面及び内面、並びに底部の内面にそれぞれ板材を取り付けたことを特徴とする。
【００１２】
請求項２は、請求項１の浴槽において、側壁部の内外面の板材が木の板材であり、この木の板材は、前記ＦＲＰ被覆合板に対して、周方向に伸びる取付構造により間隔をあけて取り付けられていることを特徴とする。
【００１３】
請求項３は、請求項１の浴槽において、側壁部の内外面の板材が石の板材であり、少なくとも一方の石の板材は、前記ＦＲＰ被覆合板に対して、周方向に伸びる取付構造により間隔をあけて取り付けられていることを特徴とする。
【００１４】
請求項４は、請求項２又は３の浴槽において、木の板材又は一方の石の板材をＦＲＰ被覆合板に取り付ける取付構造が、ＦＲＰ被覆合板に締着部材で取り付けられた周方向に伸びる鋼材を含むものであることを特徴とする。
【００１５】
請求項５は、請求項４の浴槽における一方の石の板材が、前記周方向に伸びる鋼材に固定部材で固定される窯業系ボードと、この窯業系ボードにラス及びモルタルを介して貼り付けられる石板とからなることを特徴とする。ここで窯業系ボードとは、例えばケイ酸カルシュウム板等のように、主原料としてセメント質原料および繊維質原料を用いて板状に成形し、養生・硬化させたものを指す。
【００１６】
請求項６は、請求項３の浴槽における一方の石の板材と反対側の他方の石の板材が、ラス及びモルタルによりＦＲＰ被覆合板に貼り付けられていることを特徴とする。
【００１７】
請求項７は、請求項１の浴槽において、側壁部の内外面の板材のうちの一方の板材が木の板材、他方の板材が石の板材であることを特徴とする。
【発明の効果】
【００１８】
本発明の浴槽において、合板の両面にＦＲＰ被覆を施したＦＲＰ被覆合板で形成された浴槽本体は、合板を用いていてもＦＲＰ被覆により水漏れは有効に防止される。また、ＦＲＰ被覆合板はステンレスと比べて著しく軽量なので、浴槽の製造が容易になり、また、浴槽設置工事も容易になる。
また、合板の表面にＦＲＰ被覆を施したＦＲＰ被覆合板は概ね木質であり、ステンレスと比べて加工が著しく容易であり、浴槽本体の加工が容易である。例えば、浴槽本体の側壁部と底部とは別部材として製作して接合するが、その際、溶接が必要となるステンレスと比べて、ＦＲＰ被覆合板どうしの接合は容易である。また、浴槽本体（ＦＲＰ被覆合板）に何かを取り付ける際に、木材に取り付ける場合と概ね同様な簡単な取付手段を採用することができるので、この点でも、浴槽の製造が容易である。
また、ＦＲＰ被覆合板では、浴槽の上面からみた輪郭形状がどのようなものでも容易に製造できる。すなわち、ＦＲＰ被覆合板は手で容易に湾曲させることができるので、特に、浴槽の輪郭が上面から見て例えば円形など湾曲部を持つ形状の場合に、製造の容易さが顕著に一層改善される。
したがって、従来のステンレス内蔵の浴槽よりも、さらに製造が容易であり、またさらに短い工期で製造することが可能であり、また、さらに安価に製造することが可能である。
【００１９】
また、側壁部の板材の一部又は全部が破損ないし腐食（木の板材の場合）した場合には、容易に板材をＦＲＰ被覆合板から取り外し新たな板材と取り替えることができるので、従来の桶構造の浴槽と異なり、リフォームが可能である。
【００２０】
請求項４のように、ＦＲＰ被覆合板に締着部材で取り付けられた周方向に伸びる例えばアングル等の鋼材を用いて板材をＦＲＰ被覆合板に取り付ける取付構造を採用した場合、周方向に伸びる鋼材が補強となり、浴槽本体の強度が確保される。
また、上面から見て湾曲部を持つ輪郭の浴槽の場合でも、アングル等の鋼材を単に湾曲させる加工は容易であり、鋼材を用いていても製造の容易性は損なわれない。
【００２１】
浴槽本体がＦＲＰ被覆合板で概ね木質であり、前記の通りこれに内外の板材を取り付ける際に、木材に取り付ける場合と同様な簡単な取付手段を採用できるので、石の板材を取り付けることも容易である、したがって、請求項３あるいは請求項７のように、内外面又は一方の面が石の板材からなる浴槽を簡易に製造することができる。
【発明を実施するための最良の形態】
【００２２】
以下、本発明の浴槽の実施例を図１〜図９参照して説明する。
【実施例１】
【００２３】
図１は本発明の一実施例の浴槽２１の断面図、図２は同平面図、図３は図１の浴槽２１における側壁部の拡大図、図４は図３の要部拡大図である。
これらの図に示すように、この浴槽２１は、合板２２ａの両面にＦＲＰ被覆２２ｂを施したＦＲＰ被覆合板２２からなる浴槽本体２３の側壁部２３ａの外面及び内面にそれぞれ、例えばステンレスのアングル材からなる取付金具２４、３４を両者を貫通するボルト２５及びナットで固定し、内外面の取付金具２４、３４にそれぞれ角材（間隔材）２６、３６を添わせ木ネジ２７で取り付け、内外の角材２６、３６にそれぞれ、例えば檜などによる縦に細長い多数の板材２８、３８を周方向全体に並べ木ネジ（締着部材）２９で取り付けている。実施例の浴槽２１は、図２に示すように、上面から見た輪郭が、対向する曲率大なる１対の円弧部Ａとこれと直交する方向で対向する曲率小なる１対の円弧部Ｂとが連続して異形輪状をなす形状であり、前記取付金具２４、３４は各円弧部Ａ、Ｂごとの円弧状アングル材からなっている。図５に図２のＡ部における取付金具２４、３４のみを平面図で示す。角材２６、３６は適宜分割して全周にわたって設けている。アングル材（鋼材）による取付金具２４、３４と角材２６、３６とは、板材２８、３８をＦＲＰ被覆合板２２に対して間隔をあけて取付ける取付構造を構成する。浴槽内の腰掛を符号６１で示す。
【００２４】
上記浴槽本体２３を形成するＦＲＰ被覆合板２２における合板２２ａとしては、例えばラワン材を複数枚貼り合わせてなるコンクリート型枠用合板（コンクリートパネルあるいはコンポジットパネルあるいはコンパネ等とも通称されている）を用いることができる。この合板２２ａに被覆するＦＲＰ（繊維強化プラスチック）としては、例えばガラス繊維強化エポキシ樹脂その他種々のものを用いることができる。ＦＲＰ被覆合板２２は、例えば１２ｍｍ厚みの合板２２ａの両面にそれぞれ３ｍｍ厚みのＦＲＰ被覆を施したもの等である。
この実施例では、ＦＲＰ被覆合板２２と内外面の板材２８、３８との間の空間に断熱材５３を充填している。
【００２５】
浴槽本体２３の底部２３ｂの内面（上面）にアングル材による根太止アングル材４４が図示略の木ネジで固定され、この根太止アングル材４４に添わせて木製の床根太４５が木ネジ５５で固定され、この床根太４５の上に底部の木の板材４８が図示略の木ネジで固定されている。浴槽の底部は、図２のように種々の長さの木の板材４８を並べて浴槽底部の輪郭形状に合わせている。
浴槽本体２３の底部２３ｂの周縁部と側壁部２３ａの下端部とは、アングル材による底金具５１を当て木ネジ５２で固定して互いに接合している。
また、浴槽本体２３の上端部には、当該浴槽本体２３の上端部及び内外面の板材２８、３８の上端部を覆う同じく檜による框材３１を取り付けている。
前記浴槽本体２３の底部２３ｂの下面には、床根太材としての木材の受け台３５が浴室床上に配置されている。
木部に使用する材料としては、檜に限らず、さわら、ひば、マキ等を用いることができる。
【００２６】
上記の浴槽２１において、合板２２ａの両面にＦＲＰ被覆２２ｂを施したＦＲＰ被覆合板２２で形成された浴槽本体２３は、合板を用いていてもＦＲＰ被覆により水漏れは有効に防止される。また、ＦＲＰ被覆合板２２はステンレスと比べて著しく軽量なので、浴槽本体２３の軽量化が図られ、浴槽２１の製造が容易になり、また、浴槽設置工事も容易になる。
また、ＦＲＰ被覆合板２２は概ね木質であり、ステンレスと比べて加工が著しく容易であり、浴槽本体２３の加工が容易である。例えば、浴槽本体２３の側壁部２３ａと底部２３ｂとは別部材として製作して接合するが、その際、溶接が必要となるステンレスと比べて、ＦＲＰ被覆合板２２どうしの接合は容易である。また、浴槽本体２３（ＦＲＰ被覆合板２２）に何かを取り付ける際に、木材に取り付ける場合と概ね同様な簡単な取付手段を採用することができるので、この点でも、浴槽の製造が容易である。
また、ＦＲＰ被覆合板では、浴槽の上面からみた輪郭形状がどのようなものでも容易に製造できる。すなわち、ＦＲＰ被覆合板は手で容易に湾曲させることができるので、特に、浴槽の輪郭が上面から見て実施例のように異形円形で湾曲部を持つ形状の場合に、製造の容易さが顕著に一層改善される。
したがって、従来のステンレス内蔵の浴槽よりも、さらに製造が容易であり、またさらに短い工期で製造することが可能であり、また、さらに安価に製造することが可能である。
【００２７】
また、側壁部の板材２８、３８の一部又は全部が破損ないし腐食した場合には、容易に板材２８、３８をＦＲＰ被覆合板２２から取り外し新たな板材と取り替えることができるので、従来の桶構造の浴槽と異なり、リフォームが可能である。
【００２８】
また、実施例の浴槽２１のように、ＦＲＰ被覆合板にボルト２５で取り付けられた周方向に伸びる例えばアングル等の鋼材を用いて板材をＦＲＰ被覆合板に取り付ける取付構造を採用した場合、周方向に伸びる鋼材が補強となり、浴槽本体の強度が確保される。
また、上面から見て湾曲部を持つ輪郭の浴槽の場合でも、アングル等の鋼材を単に湾曲させる加工は容易であり、鋼材を用いていても製造の容易性は損なわれない。
【００２９】
浴槽本体がＦＲＰ被覆合板で概ね木質であり、前記の通りこれに内外の板材を取り付ける際に、木材に取り付ける場合と同様な簡単な取付手段を採用できるので、石の板材を取り付けることも容易である、したがって、請求項３のように、内外面又は一方の面が石の板材からなる浴槽を簡易に製造することができる。
【実施例２】
【００３０】
図６は本発明の他の実施例の浴槽２１Ａを示すもので、浴槽２１Ａの側壁部の断面図（図３に対応する図）、図７は図６の要部拡大図である。この浴槽２１Ａは、ＦＲＰ被覆合板２２からなる浴槽本体２３については図１〜図５の浴槽２１のものと同じであるが、この浴槽本体２３の側壁部２３ａの内外面及び底部２３ｂの内面（上面）に、木の板材に代えて、いずれも石の板材６８、７８、８８を取り付けた構造である。
【００３１】
ＦＲＰ被覆合板２２からなる浴槽本体２３の側壁部２３ａの内面の石の板材６８は、メタルラス６９及びモルタル７０を介してＦＲＰ被覆合板２２に貼り付けられている。メタルラス６９はＦＲＰ被覆合板２２に接着剤で固定したラス止７１に取り付けている。
【００３２】
ＦＲＰ被覆合板２２からなる浴槽本体２３の側壁部２３ａの外面の石の板材７８は、ＦＲＰ被覆合板２２の外面にボルト２５及びナットで固定した周方向に伸びるアングル材（鋼材）からなる取付金具３４に、当該取付金具３４に溶接固定したボルト６３及びナット６４で取り付けている。
この石の板材７８は、取付金具３４に固定した前記ボルト６３の先端を通してナット６４で固定される窯業系ボード例えばケイ酸カルシュウム板６５と、このケイ酸カルシュウム板６５にメタルラス７３及びモルタル７４を介して貼り付けられる石板７５とからなっている。
なお、外面側の石の板材として、図示例のような複合構造の石の板材７８に代えて、内面側の石の板材６８と同様な単なる石の板材を用いてもよい。また、それと逆に内面側を複合構造の石の板材、外面側を単なる石の板材としたり、内外面とも複合構造の石の板材としてもよい。
なお、前記メタルラス７３はラス止７１でケイ酸カルシュウム板６５に取り付けられている。
また、浴槽本体２３と外面の石の板材７８との間の空間には断熱材５３が充填されている。
また、浴槽本体２３の底部２３bの上面の石の板材８８は、底部２３ｂのＦＲＰ被覆合板２２上にメタルラス７９及びモルタル８０により貼り付けられている。
【００３３】
この両面石張りの浴槽２１Ａは、浴槽本体２３がＦＲＰ被覆合板２２からなるので、浴槽本体がステンレス製である場合と比べて、内外面の石の板材６８、７８の取り付けが容易である。
また、内外面の石の板材６８、７８が損傷した場合、これを除去すれば、ＦＲＰ被覆合板２２からなる浴槽本体２３が残るので、この浴槽本体２３に新しい石の板材を取り付けることで、容易にリフォームすることができる。特に外面の石の板材７８が損傷した時は、この外面の板材７８は浴槽本体２３側にボルト６３とナット６４で取り付けられているだけなので、容易に除去することができ、したがって、リフォームが容易である。
【実施例３】
【００３４】
図８、図９に本発明のさらに他の実施例を示す。この実施例の浴槽２１Ｂは、ＦＲＰ被覆合板２２かなる浴槽本体２３、並びに、浴槽本体２３の側壁部２３ａの内面及び底部２３ｂの内面の木の板材２８、４８については、図１〜図３の浴槽２１のものと同じであるが、この浴槽本体２３の側壁部２３ａの外面には、木の板材に代えて石の板材７８を取り付けた構造である。側壁部２３ａの外面の石の板材７８、その取付構造、断熱材５３など（すなわち、ＦＲＰ被覆合板２２より外側の部分の構造）は、図６の浴槽２１Ａのものと同じであり、詳細説明は省略する。
【００３５】
この外面石張りの浴槽２１Ｂは、内外面が木の板材である図１〜３の浴槽２１と内外面が石の板材である図６の浴槽２１Ａの両者の長所を備えている。
【図面の簡単な説明】
【００３６】
【図１】本発明の一実施例の浴槽の断面図である。
【図２】図１の浴槽の平面図である。
【図３】図１の浴槽における側壁部の拡大図である。
【図４】図３の要部拡大図である。
【図５】上記浴槽における内外面の取付金具の一部分を拡大した示した平面図である。
【図６】本発明の他の実施例の浴槽を示すもので、浴槽の側壁部の拡大断面図である（図３に相当する図）。
【図７】図６における取付構造部分の要部拡大図である。
【図８】本発明のさらに他の実施例の浴槽を示すもので、浴槽の側壁部の拡大断面図である（図３に対応する図）。
【図９】図３の要部拡大図である。
【図１０】従来の浴槽を示す断面図である。
【符号の説明】
【００３７】
２１、２１Ａ、２１Ｂ    浴槽
２２    ＦＲＰ被覆合板
２２ａ  合板
２２ｂ  ＦＲＰ被覆
２３    浴槽本体
２３ａ  側壁部
２３ｂ  底部
２４、３４  取付金具
２５  ボルト    
２６、３６  角材（間隔材）
２７  木ネジ
２８、３８、４８  木の板材
２９  木ネジ
３１  框材
３５  受け台
４４  根太止アングル材
４５  床根太
５１  底金具
５２  木ネジ
５３  断熱材
５５  木ネジ
６１  腰掛
６３  ボルト
６４  ナット
６８、７８、８８    石の板材
６５  ケイ酸カルシューム板（窯業系ボード）
７１  ラス止
７３、６９、７９  メタルラス
７４、７０、８０  モルタル
７５  石板
【図１】
2008228756.tif 000003
【図２】
2008228756.tif 000004
【図３】
2008228756.tif 000005
【図４】
2008228756.tif 000006
【図５】
2008228756.tif 000007
【図６】
2008228756.tif 000008
【図７】
2008228756.tif 000009
【図８】
2008228756.tif 000010
【図９】
2008228756.tif 000011
【図１０】
2008228756.tif 000012